(57)【要約】【課題】様々なボトムに着脱可能に装着でき、ボトムを穿いた状態で取外して脱ぐことができると共に、ボトムを穿いた状態で当該ボトムに取付けて着用することが可能なインナー及びこのインナーを備えたインナー付きボトムを提供する。【解決手段】腹部を覆う前身頃１１と、臀部を覆う後身頃１２とが、クロッチ部１３を介して一体的に接続されてなるインナー本体１０と、インナー本体１０の前身頃側の端部１５及び後身頃側の端部１７に各々設けられ、インナー本体１０をボトム５０に着脱可能に取付ける取付部を有し、この取付部を介して、ボトム５０にインナー本体１０を取付けた際に、前身頃１１及び後身頃１２の脇縁部２１Ｒと２２Ｒ、２１Ｌと２２Ｌが互いに離間されてなるインナー１である。【選択図】図４
2008150735.tif 000002
【特許請求の範囲】
【請求項１】
ボトムに着脱可能に取付けられるインナーであって、
腹部を覆う前身頃と、臀部を覆う後身頃とが、クロッチ部を介して一体的に接続されてなるインナー本体と、
前記インナー本体の前身頃側の端部及び後身頃側の端部に各々設けられ、前記インナー本体を前記ボトムに着脱可能に取付ける取付部と、
を有し、
前記取付部を介して、前記ボトムに前記インナー本体を取付けた際に、前記前身頃及び後身頃の脇縁部が互いに離間されてなるインナー。
【請求項２】
腹部を覆う前身頃と、臀部を覆う後身頃とが、クロッチ部を介して一体的に接続されてなるインナー本体と、
前記インナー本体の前身頃側の端部の両側に各々配設された第１の接続部材と、
前記インナー本体の後身頃側の端部の両側に各々配設される第２の接続部材と、
を有し、
前記第１の接続部材の一方と、前記第２の接続部材の一方とを接続し、前記第１の接続部材の他方と、前記第２の接続部材の他方とを接続することで使用者が着用可能であり、当該使用者に着用させた際に、前記前身頃及び後身頃の脇縁部が互いに離間されてなるインナー。
【請求項３】
前記インナー本体の前身頃側の端部の両側に第１の接続部材を各々配設し、前記インナー本体の後身頃側の端部の両側に、前記第１の接続部材に接続される第２の接続部材を各々配設してなり、前記第１の接続部材と第２の接続部材とを接続させることで、使用者に装着される請求項１記載のインナー。
【請求項４】
前記インナー本体は、少なくとも前記クロッチ部を含む領域にパッド材が配設されてなる請求項１ないし請求項３記載のいずれか一項に記載のインナー。
【請求項５】
前記インナー本体は、使用者が着用した際に、前記前身頃側の端部及び後身頃側の端部が、当該使用者のウエスト部分近傍に位置する請求項１ないし請求項４のいずれか一項に記載のインナー。
【請求項６】
前記前身頃側の端部及び後身頃側の端部に、前記インナー本体を前記使用者のウエスト部分の周方向に伸縮させる伸縮性付与部材を設けた請求項５記載のインナー。
【請求項７】
ボトムと、
請求項１ないし請求項６のいずれか一項に記載のインナーと、
を有してなり、
前記ボトムの内側に、前記インナー本体に取付けられた取付部が着脱可能に固定される固定部を設けてなるインナー付きボトム。
【請求項８】
前記取付部及び固定部が、互いに嵌合し合うスナップボタンからなる請求項７記載のインナー付きボトム。
【請求項９】
前記固定部は、両端が前記ボトムの内側に固定されたループ状部材からなり、
前記取付部は、一端に第１の係合部が形成されてなり、他端に当該第１の係合部と着脱可能に係合する第２の係合部が形成されてなり、前記ループ状部材に輪状にわがねて、当該第１の係合部と第２の係合部とを係合することで、当該ループ状部材に固定される請求項７記載のインナー付きボトム。
【請求項１０】
前記取付部は、両端が前記ボトムの内側に固定されたループ状部材からなり、
前記固定部は、一端に第１の係合部が形成されてなり、他端に当該第１の係合部と着脱可能に係合する第２の係合部が形成されてなり、前記ループ状部材に輪状にわがねて、当該第１の係合部と第２の係合部とを係合することで、当該ループ状部材に固定される請求項７記載のインナー付きボトム。
【発明の詳細な説明】
【技術分野】
【０００１】
本発明は、着脱を簡単に行うことが可能なインナー、及びこのインナーを備えたインナー付きボトムに関する。
【背景技術】
【０００２】
従来から、パンツ（ズボン）の内側に着脱可能に取付けられるインナーが提案されている。このようなインナーとしては、例えば、防寒用のインナー等があり、パンツの内側に装着することで、通常のパンツを防寒用のパンツとして使用することができ、パンツに装着する必要が無い場合には、当該パンツから取外すことができるようになっている。このようなインナーは、例えば、前記パンツのウエスト部分に、スナップファスナ等によりインナーのウエスト部分を着脱可能に固定することで、パンツに着脱可能に装着されるようになっている。（例えば、特許文献１参照）。
【０００３】
また、パンツの内側にインナーが着脱可能に取付けられたインナー付きパンツ（インナー付きズボン）も紹介されている。このインナー付きパンツは、パンツ本体と、パンツ本体の内側に位置し、当該パンツ本体のウエスト部分に着脱可能に取り付けられるインナーを有し、前記パンツ本体の内側面には、第１面ファスナと上記第１面ファスナの内側に取付けられた係合部材が設けられ、前記インナーのパンツ本体側の面には、前記第１面ファスナに対向する位置に、この第１面ファスナに係合される第２面ファスナと、前記係合部材に対向し当該係合部材に係止される被係合部材が設けられている。（例えば、特許文献２参照）。
【特許文献１】特開昭５６−４９００５号公報
【特許文献２】特開２００１−１８１９１２号公報
【発明の開示】
【発明が解決しようとする課題】
【０００４】
しかしながら、前述した従来のインナーは、パンツに着脱可能に取付けることはできるが、使用者がパンツを着用した状態で当該パンツから取外す、あるいは取付けることはできなかった。したがって、インナーをパンツから取外す際は、当該パンツを一端脱いでからインナーを取外し、その後再びパンツを穿くという動作を行う必要があり、面倒であった。また、着用しているパンツにインナーを取付けたい場合も同様に、穿いていたパンツを一端脱いでからインナーを取付け、その後再びパンツを穿くという動作を行う必要がある。
【０００５】
本発明は、このような事情に鑑みなされたものであり、パンツ（ズボン、スラックス、パンタロン、スパッツ等）や、キュロットスカート、スカート、ストッキング、タイツ、ガードル等、様々なボトムに着脱可能に装着できるインナーであることは勿論のこと、前記ボトムを脱ぐ、あるいはインナーを下ろしてこのインナーを足先から抜き取る等の面倒な動作を行うことなく、ボトムを穿いた状態でインナーを取外して脱ぐことができると共に、前記面倒な動作を行うことなく、ボトムを穿いた状態で当該ボトムに取付けて着用することが可能なインナー、及びこのインナーを備えたインナー付きボトムを提供することを目的とする。
【課題を解決するための手段】
【０００６】
この目的を達成するため本発明は、ボトムに着脱可能に取付けられるインナーであって、腹部を覆う前身頃と、臀部を覆う後身頃とが、クロッチ部を介して一体的に接続されてなるインナー本体と、前記インナー本体の前身頃側の端部及び後身頃側の端部に各々設けられ、前記インナー本体を前記ボトムに着脱可能に取付ける取付部と、を有し、前記取付部を介して、前記ボトムに前記インナー本体を取付けた際に、前記前身頃及び後身頃の脇縁部が互いに離間されてなるインナーを提供するものである。
【０００７】
この構成を備えたインナーは、インナー本体の前身頃側の端部に配設された取付部をボトムの腹部と対応する所定位置に取付け、インナー本体の後身頃側の端部に配設された取付部をボトムの臀部と対応する所定位置に取付けることで、前記ボトムに簡単に装着することができる。したがって、本発明にかかるインナーは、前記ボトムを穿くことで簡単に着用することができる。
【０００８】
また、予めボトムを穿いている場合は、当該ボトムのウエスト部分からインナーを挿入し、前身頃側の端部に配設された取付部を、ボトムの腹部と対応する所定位置に取付けた後、クロッチ部を跨ぐように後身頃を臀部側に位置させ、後身頃側の端部に配設された取付部を、ボトムの臀部と対応する所定位置に取付けることで、ボトムを脱ぐことなくインナーを簡単に着用することができる。また、前記の他、後身頃側の端部に配設された取付部をボトムの臀部と対応する所定位置に取付けた後、クロッチ部を跨ぐように前身頃を腹部側に位置させ、前身頃側の端部に配設された取付部をボトムの腹部と対応する所定位置に取付けてもよい。
【０００９】
そしてまた、ボトムを穿いている状態で、当該ボトムからインナーを取外して脱ぐ場合は、前身頃側の端部に配設された取付部及び後身頃側の端部に配設された取付部をボトムから取外し、インナーをボトムのウエスト部分から外部に引き抜くことで簡単に脱ぐことができる。
【００１０】
さらにまた、この構成を備えたインナーは、前記前身頃及び後身頃の脇縁部が互いに離間されているため、前述したように着用及び脱着を簡単に行うことができることに加え、サイド部分（脇部分）が縫合されているショーツタイプのインナーに比べ、この部分の通気性を向上させることができる。また、インナーの幅の長さを調整することで、使用者のサイド部分をインナーで覆わないようにすることもでき、暑くなることを防止することもできると共に、フィット感も向上させることができる。
【００１１】
また、本発明は、腹部を覆う前身頃と、臀部を覆う後身頃とが、クロッチ部を介して一体的に接続されてなるインナー本体と、前記インナー本体の前身頃側の端部の両側に各々配設された第１の接続部材と、前記インナー本体の後身頃側の端部の両側に各々配設される第２の接続部材と、を有し、前記第１の接続部材の一方と、前記第２の接続部材の一方とを接続し、前記第１の接続部材の他方と、前記第２の接続部材の他方とを接続することで使用者に着用可能であり、当該使用者に着用させた際に、前記前身頃及び後身頃の脇縁部が互いに離間されてなるインナーを提供するものである。
【００１２】
この構成を備えたインナーは、第１の接続部材の一方と、前記第２の接続部材の一方とを接続し、前記第１の接続部材の他方と、前記第２の接続部材の他方とを接続することで使用者に装着させることができるため、ボトムに取付けることなく、使用者に直接着用させることができる。予めボトムを穿いている場合は、当該ボトムのウエスト部分からインナーを挿入し、クロッチ部を跨ぐように後身頃を臀部側に位置させ、あるいは、クロッチ部を跨ぐように前身頃を腹部側に位置させ、前記第１の接続部材と第２の接続部材とを接続させることで、ボトムを脱ぐことなくインナーを簡単に着用することができる。また、ボトムを穿いている状態でインナーを脱ぐ場合は、前記第１の接続部材と第２の接続部材との接続を解除し、インナーをボトムのウエスト部分から外部に引き抜くことで簡単に脱ぐことができる。さらにまた、前身頃及び後身頃の脇縁部が互いに離間されているため、前述したように着用及び脱着を簡単に行うことができることに加え、サイド部分（脇部分）が縫合されているショーツタイプのインナーに比べ、この部分の通気性を向上させることができる。また、インナーの幅の長さを調整することで、使用者のサイド部分をインナーで覆わないようにすることもでき、暑くなることを防止することもできると共に、フィット感も向上させることができる。
【００１３】
また、本発明にかかるインナーは、インナー本体の少なくとも前記クロッチ部を含む領域にパッド材を配設することもできる。このパッド材は、例えば、衝撃吸収パッド、防護パッド、低反発パッド、保温パッド、吸湿・吸水パッド等、目的に応じて選択することができる。また、前記パッド材は、衝撃吸収性、防護性、低反発性、保温性、吸湿・吸水性等の様々な性質を複数兼ね備えたものであってもよい。このように、インナー本体にパッド材を配設することで、例えば、長時間にわたって自転車に乗る等、硬いシートに腰掛けると共に、臀部に衝撃がかかる場合は、衝撃吸収性と、防護性、低反発性等を有するパッド材を配設する等、任意に選択することができる。
【００１４】
そしてまた、このパッド材が、後身頃側に配設される部分が、前身頃側に配設される部分よりも広い面積を有することで、シート等に腰掛けた際に、臀部の当該シート等と接触する領域にわたってパッド材を配設することができ、臀部を効果的に保護することができる。
【００１５】
また、本発明にかかるインナーは、前記インナー本体の前身頃側の端部の両側に第１の接続部材を各々配設し、前記インナー本体の後身頃側の端部の両側に、前記第１の接続部材に接続される第２の接続部材を各々配設してなり、前記第１の接続部材と第２の接続部材とを接続させることで、使用者に装着されるよう構成することもできる。このように構成することで、前記利点に加え、ボトムに装着できることは勿論のこと、インナーをボトムに装着せずに、インナー単独でも着用することができる。
【００１６】
さらにまた、本発明にかかるインナーは、そのサイズ等を所望により決定することができるが、例えば、使用者が着用した際に、前記前身頃側の端部及び後身頃側の端部が、当該使用者のウエスト部分近傍に位置するよう構成することもできる。また、この場合、前記前身頃側の端部及び後身頃側の端部に、前記インナー本体を前記使用者のウエスト部分の周方向に伸縮させる伸縮性付与部材（例えば、ゴム紐や、紐、テープ等）を設けることもできる。このように構成することで、例えば、ボトムとして、当該ボトムのウエスト部分に、使用者のウエスト部分の周方向に伸縮する伸縮性付与部材が設けられており、使用者のウエストサイズに合わせてフィットするようになっているものを使用した場合、インナーをこのボトムに装着させた際に、当該インナーもこれに合わせて使用者のウエストサイズに合わせて伸縮させ、フィットさせることができる。
【００１７】
そしてまた、前記インナー本体を構成する生地は、例えば、通気性を有する生地、保温性を有する生地、吸湿・吸水性を有する生地、ストレッチ性を有する生地、あるいはこれらの特徴を兼ね備えた生地等、インナーを着用する目的等に応じて任意に選択することができる。
【００１８】
また、本発明は、ボトムと、前述した本発明にかかるインナーと、を有してなり、前記ボトムの内側に、前記インナー本体に取付けられた取付部が着脱可能に固定される固定部を設けてなるインナー付きボトムを提供するものである。この構成を備えたインナー付きボトムは、ボトムを穿いた状態で、インナーを当該ボトムから取外したり、取付けたりすることができる。
【００１９】
そしてまた、本発明にかかるインナー付きボトムでは、前記取付部及び固定部を、互いに嵌合し合うスナップボタン（スナップホックともいう）や、面ファスナ、紐等、互いに着脱を簡単に行うことができる部材から構成することができる。
【００２０】
また、本発明にかかるインナー付きボトムは、前記固定部が、両端が前記ボトムの内側に固定されたループ状部材からなり、前記取付部は、一端に第１の係合部が形成されてなり、他端に当該第１の係合部と着脱可能に係合する第２の係合部が形成されてなり、前記ループ状部材に輪状にわがねて、当該第１の係合部と第２の係合部とを係合することで、当該ループ状部材に固定される構成とすることもできる。このように構成することで、前記利点に加え、インナーをボトムにさらにしっかりと取付けることができ、例えば、インナーとボトムを一緒に脱いだ際に、インナーがボトムから外れることをより一層防止することができる。
【００２１】
なお、前記取付部を、両端が前記ボトムの内側に固定されたループ状部材から形成し、前記固定部を、一端に第１の係合部が形成されてなり、他端に当該第１の係合部と着脱可能に係合する第２の係合部が形成された構成とし、当該固定部を前記ループ状部材に輪状にわがねて、当該第１の係合部と第２の係合部とを係合することで、当該ループ状部材に固定するようにしてもよい。
【発明の効果】
【００２２】
本発明にかかるインナーは、インナー本体の前身頃側の端部及び後身頃側の端部に各々配設された取付部をボトムに取付けることで、簡単に装着することができる。また、予めボトムを穿いている場合は、当該ボトムのウエスト部分からインナーを挿入し、前身頃側（後身頃側）の取付部をボトムに取付けた後、クロッチ部を跨ぐように後身頃（前身頃）を臀部側（腹部側）に位置させ、後身頃側（前身頃側）の取付部をボトムに取付けることで、ボトムを脱ぐことなくインナーを簡単に着用することができる。一方、ボトムを穿いている状態で、当該ボトムからインナーを取外して脱ぐ場合は、前身頃側の端部に配設された取付部及び後身頃側の端部に配設された取付部をボトムから取外し、インナーをボトムのウエスト部分から外部に引き抜くことで簡単に脱ぐことができる。さらにまた、サイド部分（脇部分）が縫合されているショーツタイプのインナーに比べ、この部分の通気性を向上させることができる。また、インナーの幅の長さを調整することで、使用者のサイド部分をインナーで覆わないようにすることもでき、暑くなることを防止することもできると共に、フィット感も向上させることができる。
【００２３】
また、本発明にかかるインナーは、第１の接続部材と第２の接続部材とを接続することで使用者に装着させることができるため、ボトムに取付けることなく、使用者に直接着用させることができる。また、予めボトムを穿いている場合は、当該ボトムのウエスト部分からインナーを挿入し、クロッチ部を跨ぐように後身頃（前身頃）を臀部側（腹部側）に位置させ、前記第１の接続部材と第２の接続部材とを接続させることで、ボトムを脱ぐことなくインナーを簡単に着用することができる。一方、ボトムを穿いている状態でインナーを脱ぐ場合は、前記第１の接続部材と第２の接続部材との接続を解除し、インナーをボトムのウエスト部分から外部に引き抜くことで簡単に脱ぐことができる。さらにまた、サイド部分（脇部分）が縫合されているショーツタイプのインナーに比べ、この部分の通気性を向上させることができる。また、インナーの幅の長さを調整することで、使用者のサイド部分をインナーで覆わないようにすることもでき、暑くなることを防止することもできると共に、フィット感も向上させることができる。
【００２４】
また、本発明にかかるインナー付きボトムは、ボトムを脱ぐ等の面倒な動作を行うことなく、ボトムを穿いた状態でインナーを当該ボトムから取外して脱ぐことができると共に、前記面倒な動作を行うことなく、ボトムを穿いた状態で当該ボトムに取付けて着用することができる。
【発明を実施するための最良の形態】
【００２５】
次に、本発明の好適な実施の形態にかかるインナー及びインナー付きボトムについて図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２６】
図１は、本発明の実施の形態にかかるインナーの平面図であって、使用者が着用した際に外側となる面の図、図２は、本発明の実施の形態にかかるインナーの平面図であって、使用者が着用した際に内側（使用者側）となる面の図、図３は、本発明の実施の形態にかかるインナーを使用者の体に合わせた立体的な形状とした状態を示す斜視図、図４は、本発明の実施の形態にかかるインナーと、このインナーが装着されるパンツとの関係を示す斜視図、図５は、本発明の実施の形態にかかるインナーをパンツに装着した状態を示す斜視図である。
【００２７】
なお、図３〜図５では、インナー及びパンツの構成を判りやすく表現するため、ウエスト部分のシャーリングを省略して記載した。また、図１〜図５では、説明を判りやすくするため、各部材の厚さやサイズ、拡大・縮小率等は、実際のものとは一致させずに記載した部分がある。さらにまた、本実施の形態では、使用者に着用させた際に、使用者側となる面を「内側面」とし、外側となる面（パンツに装着した場合はパンツ側となる面）を「外側面」として説明する。
【００２８】
図１〜図５に示すように、本実施の形態にかかるインナー１は、使用者１００に着用された際に、使用者１００の腹部を覆う前身頃１１と、臀部を覆う後身頃１２とが、クロッチ部１３を介して一体的に接続されてなるインナー本体１０を備えている。このインナー１は、使用者１００に着用された際に、前身頃側の端部１５及び後身頃側の端部１７が、使用者１００のウエスト部分近傍に位置するサイズを有している。
【００２９】
インナー本体１０は、例えば、メッシュ状等、通気性のよい生地から形成されており、後身頃１２が前身頃１１よりも広い（大きい）形状を有している。このインナー本体１０は、前身頃側の端部１５及び後身頃側の端部１７にゴム紐がそれぞれ配設されており、図１及び図２に示すように、通常の状態では、端部１５及び１７付近にシャーリングが施された状態となっている。そして、前記ゴム紐が伸びることによって端部１５及び１７の長さが変更され、ゴム紐の伸縮によって端部１５及び１７が使用者１００のウエスト部に適切にフィットするようになっている。すなわち、本実施の形態では、ゴム紐が、インナー本体１０を使用者１００のウエスト部分の周方向に伸縮させる伸縮性付与部材を構成している。
【００３０】
また、インナー本体１０の端部１５の両側には、後に詳述するパンツ５０に設けられたスナップボタン５６Ａ及び５６Ｂにそれぞれ着脱可能に嵌合するスナップボタン１６Ａ及び１６Ｂが設けられている。一方、インナー本体１０の端部１７の両側には、パンツ５０に設けられたスナップボタン５８Ａ及び５８Ｂにそれぞれ着脱可能に嵌合するスナップボタン１８Ａ及び１８Ｂが設けられ、端部１７の略中央部分には、パンツ５０に設けられたスナップボタン５８Ｃに着脱可能に嵌合するスナップボタン１８Ｃが設けられている。すなわち、本実施の形態では、スナップボタン１６Ａ、１６Ｂ、１８Ａ〜１８Ｃが、インナー本体１０をパンツ５０に着脱可能に取付ける取付部を構成している。
【００３１】
このインナー本体１０は、スナップボタン１６Ａ、１６Ｂ、１８Ａ〜１８Ｃを、パンツ５０のスナップボタン５６Ａ、５６Ｂ、５８Ａ〜５８Ｃに各々嵌合させてパンツ５０に取付けられた際に、前身頃１１の脇縁部２１Ｒが、後身頃１２の脇縁部２２Ｒと対応し、前身頃１１の脇縁部２１Ｌが、後身頃１２の脇縁部２２Ｌと対応するが、図３〜図５に示すように、脇縁部２１Ｒと脇縁部２２Ｒが互いに離間し合い、脇縁部２１Ｌと脇縁部２２Ｌも互いに離間し合うようになっており、使用者１００の腰回りのサイド部分を覆わないように設計されている。
【００３２】
また、インナー本体１０の内側面であって、クロッチ部１３と、クロッチ部１３に連続した前身頃１１の一部と、クロッチ部１３に連続した後身頃１２の一部には、これらの領域にわたってパッド材３０が配設されている。このパッド材３０は、インナー本体１０に縫合されていてもよく、接着剤等で固定されていてもよい。また、パッド材３０は、インナー本体１０に対し、着脱可能に配設してもよい。このパッド材３０は、例えば、使用者１００が着用して椅子や床、地面等に腰掛けた際に、使用者１００の臀部を最適に保護することができるように、後身頃側に配設される部分が、前身頃側に配設される部分よりも広い面積を有している。なお、パッド材３０としては、例えば、衝撃吸収パッド、防護パッド、低反発パッド、保温パッド、吸湿・吸水パッド等、目的に応じて選択することができる。また、前記パッド材は、衝撃吸収性、防護性、低反発性、保温性、吸湿・吸水性等の様々な性質を複数兼ね備えたものであってもよい。また、パッド材３０の面積や厚さ等は、所望により決定することができる。なお、本実施の形態では、衝撃吸収性を有するパッド材３０を使用した。
【００３３】
パンツ５０は、図４及び図５に示すように、腹部側のウエスト部分に、インナー１の端部１５に配設されたスナップボタン１６Ａ及び１６Ｂが着脱可能に嵌合するスナップボタン５６Ａ及び５６Ｂが配設され、臀部側のウエスト部分に、インナー１の端部１７に配設されたスナップボタン１８Ａ〜１８Ｃが着脱可能に嵌合するスナップボタン５８Ａ〜５８Ｃが配設されている。すなわち、これらのスナップボタン５６Ａ及び５６Ｂ、５８Ａ〜５８Ｃが、インナー本体１０に取付けられた取付部（本実施の形態では、スナップボタン）が着脱可能に固定される固定部を構成している。これらのスナップボタン５６Ａ及び５６Ｂ、５８Ａ〜５８Ｃの配設位置は、任意に決定することができるが、使用者１００が、インナー１を装着したパンツ５０を着用した際に、インナー１の存在により着心地が損なわれることがなく、外見的にも違和感のない位置を選択することが好ましい。また、パンツ５０は、ウエスト部分がゴム紐や、紐等により伸縮可能となっているタイプのものや、伸縮性の少ないインサイドベルトが配設されており、ウエスト部分が殆ど伸縮しないタイプのもの等、任意に選択することができる。
【００３４】
本実施の形態にかかるインナー１を着用する場合は、パンツ５０に予めインナー１を装着しておき、このインナー１が装着されたパンツ５０を着用してもよいし、予め着用しているパンツ５０を脱がずに、このパンツ５０にインナー１を装着してもよい。
【００３５】
インナー１が装着されたパンツ５０を着用する場合は、図４及び図５に示すように、インナー１の前身頃１１とパンツ５０の前身頃が一致し、インナー１の後身頃１２とパンツ５０の後身頃が一致するように、スナップボタン１６Ａ及び１６Ｂをスナップボタン５６Ａ及び５６Ｂに各々嵌合させ、スナップボタン１８Ａ〜１８Ｃをスナップボタン５８Ａ〜５８Ｃに各々嵌合させて、パンツ５０にインナー１を装着させればよい。なお、このように、インナー１が装着されたパンツ５０を着用する場合は、ウエスト部分がゴム紐や紐等により伸縮可能となっているタイプのパンツ５０を使用することが好ましい。この場合、パンツ５０のウエスト部分を拡げ、パンツ５０に装着されたインナー１を跨ぐようにしてパンツ５０を着用した後、ゴム紐の収縮、あるいは紐による絞りによって、ウエスト部分を使用者のウエストにフィットさせればよい。
【００３６】
一方、予め着用しているパンツ５０にインナー１を装着する場合は、先ず、パンツ５０のウエスト部分をある程度拡げて、インナー１の後身頃１２とパンツ５０の後身頃が一致するように、スナップボタン１８Ａ〜１８Ｃを、スナップボタン５８Ａ〜５８Ｃに各々嵌合させる。次に、この状態で、インナー１の端部１５を脚の間から前方に引出し、インナー１の前身頃１１とパンツ５０の前身頃が一致するように、スナップボタン１６Ａ及び１６Ｂをスナップボタン５６Ａ及び５６Ｂに各々嵌合させる。このようにして、予め着用しているパンツ５０を脱ぐことなく、パンツ５０にインナー１を簡単に装着させることができる。なお、この場合、ウエスト部分が殆ど伸縮せず、ジッパー等を下ろすことで、パンツ５０のウエスト部分を拡げて着脱するタイプのパンツ５０であっても、インナー１を簡単に装着させることができる。また、インナー１は、前身頃１１側から先にパンツ５０に装着し、この状態で、インナー１の端部１７を脚の間から後方に引出し、スナップボタン１８Ａ〜１８Ｃをスナップボタン５８Ａ〜５８Ｃに各々嵌合させてもよいことは勿論である。
【００３７】
次に、インナー１が装着されたパンツ５０を着用している状態から、インナー１を取外す場合は、パンツ５０のウエスト部分から手を入れて、スナップボタン１６Ａ及び１６Ｂとスナップボタン５６Ａ及び５６Ｂとの嵌合、及びスナップボタン１８Ａ〜１８Ｃとスナップボタン５８Ａ〜５８Ｃとの嵌合を各々解除し、インナー１の端部１５あるいは端部１７を掴んで、パンツ５０からインナー１を引き出せばよい。このようにして、着用しているパンツ５０を脱ぐことなく、インナー１を取外すことができる。
【００３８】
また、当然のことではあるが、所望により、インナー１が装着されたパンツ５０を脱いでからインナー１を取外してもよいことは勿論である。
【００３９】
なお、本実施の形態では、パッド材３０として、衝撃吸収性を有するものを使用したため、本実施の形態にかかるインナー１は、例えば、長時間にわたって自転車に乗る等、硬いシートに腰掛ける際に着用することで、使用者の臀部を好適に保護することができる。また、インナー本体１０が通気性のよい生地から形成されているため、気温がある程度高い時季に着用しても、蒸れる等の不快感が生じることを防止することもできる。さらに、インナー１は、使用者１００の腰回りのサイド部分を覆わないため、サイド部分が縫合されているショーツタイプのインナーに比べ、この部分の通気性をさらに向上させることができ、暑く感じることを緩和することもできる。また、自転車等から降りる等、インナー１の必要が無くなった場合は、前述した方法で、パンツ５０を穿いたままインナー１を簡単に取外すことができる。そしてまた、自転車等に再び乗る等、硬いシートに再び腰掛ける際には、前述した方法で、パンツ５０を穿いたままインナー１を簡単に装着することができる。
【００４０】
また、本実施の形態では、インナー本体１０を、メッシュ状等の通気性のよい生地から形成した場合について説明したが、これに限らず、インナー本体１０を形成する生地（素材）は、インナー１を着用する目的によって適宜選択することができる。例えば、保温を目的としてインナー１を着用する場合等、インナー本体１０を保温性のある生地から形成してもよく、保温性及び通気性の両方を兼ね備えた生地から構成してもよい。
【００４１】
そしてまた、本実施の形態では、インナー本体１０に衝撃吸収性を有するパッド材３０を配設した場合について説明したが、これに限らず、パッド材３０は、インナー１を着用する目的によって適宜選択することができる。例えば、衝撃から臀部を保護する目的でインナー１を着用する場合は、衝撃吸収性の他、防護性、低反発性等を有するパッド材を配設してもよく、これらの特性を兼ね備えたパッド材を配設してもよい。また、保温を目的としてインナー１を着用する場合は、保温性を有するパッド材を配設してもよいし、汗等を効率よく吸収させたい場合は、吸湿性や吸水性を有するパッド材を配設してもよい。そしてまた、衝撃から臀部を保護すると共に保温や吸湿・吸水も目的としてインナー１を着用する場合は、前述した両特性を兼ね備えたパッド材を配設すればよい。また、場合によっては、インナー本体１０にパッド材３０を配設せずに、インナー本体１０自身に、衝撃吸収性、防護性、低反発性、保温性、通気性、吸湿性等を持たせてもよい。
【００４２】
さらにまた、本実施の形態では、インナー１を使用者に着用させた際に、端部１５及び１７が、使用者のウエスト部近傍となるようにした場合について説明したが、これに限らず、インナー１のサイズは、装着するパンツ５０のデザイン等によって決定してもよく、あるいは、使用目的等に応じて適宜決定してもよい。この場合、パンツ５０には、インナー１に配設されたスナップボタンの位置に対応する位置に、これに嵌合するスナップボタンを配設すればよい。
【００４３】
また、本実施の形態では、スナップボタンの嵌合によって、インナー１をパンツ５０に着脱可能に取付けた場合について説明したが、これに限らず、スナップボタンに代えて、面ファスナ、紐、ボタンとボタンホール等、互いに着脱を簡単に行うことができる部材を用いてもよい。
【００４４】
そしてまた、本実施の形態では、インナー１をパンツ５０に装着して使用する場合について説明したが、これに限らず、インナー１は、図６〜図８に示すように、端部１５の両側に紐６５Ａ及び６５Ｂを各々設け、端部１７の両側に紐６７Ａ及び６７Ｂを各々設けた構造とし、紐６５Ａと６７Ａとを結び、紐６５Ｂと６７Ｂとを結ぶことで、図８に示すように、使用者１００に直接着用させてもよい。なお、この構成の場合、端部１５及び１７には、前述したスナップボタンを配設してもよく、配設しなくてもよい。端部１５及び１７にスナップボタンを配設した場合は、インナー１をパンツ５０に装着して使用することもできるし、使用者１００に直接着用させることもできる。
【００４５】
なお、図６〜図８では、インナー１を使用者１００に直接着用させるため、端部１５に紐６５Ａ及び６５Ｂを配設し、端部１７に紐６７Ａ及び６７Ｂを配設し、これらを結ぶ場合について説明したが、これに限らず、インナー１を使用者１００に直接着用させることができれば、紐の締結に代えて、面ファスナ、スナップボタン、ボタンとボタンホール等、互いに着脱を簡単に行うことができる部材を用いてもよい。
【００４６】
さらにまた、インナー１をパンツ５０に着脱可能に取付ける手段としては、インナー１には、例えば、図９に示すように、スナップボタン１６Ａ、１６Ｂ、１８Ａ〜１８Ｃが配設されていた位置、あるいはその近傍に、テープ材７６、７６Ｂ、７８Ａ〜７８Ｃの一端を各々固定し、この固定された一端にスナップボタン７７Ａ、７７Ｂ、７９Ａ〜７９Ｃを各々配設し、テープ材７６Ａ、７６Ｂ、７８Ａ〜７８Ｃの他端に、スナップボタン７７Ａ、７７Ｂ、７９Ａ〜７９Ｃと各々着脱可能に嵌合するスナップボタン８１Ａ、８１Ｂ、８２Ａ〜８２Ｃを配設してもよい。一方、パンツ５０には、例えば、図１０に示すように、スナップボタン５６Ａ、５６Ｂ、５８Ａ〜５８Ｃが配設されていた位置、あるいはその近傍に、ループ状を有するループ状部材８６Ａ、８６Ｂ、８８Ａ〜８８Ｃを配設してもよい。そして、図１１に示すように、テープ材７６Ａ（７６Ｂ、７８Ａ〜７８Ｃ）を、ループ状部材８６Ａ（８６Ｂ、８８Ａ〜８８Ｃ）に輪状にわがねて、スナップボタン７７Ａ（７７Ｂ、７９Ａ〜７９Ｃ）と、スナップボタン８１Ａ（８１Ｂ、８２Ａ〜８２Ｃ）とを嵌合させることで、インナー１をパンツ５０に着脱可能に取付けてもよい。
【００４７】
なお、インナー１にループ状部材８６Ａ、８６Ｂ、８８Ａ〜８８Ｃを配設し、パンツ５０にテープ材７６Ａ、７６Ｂ、７８Ａ〜７８Ｃを配設してもよいことは勿論である。
【００４８】
図９〜図１１に示す構成にすることで、インナー１は、パンツ５０によりしっかりと取付けられることになるため、例えば、インナー１とパンツ５０を一緒に脱いだ際に、インナー１パンツ５０から外れることを、より一層防止することができる。また、このような構成にても、インナー１の取付け、取外しについては、前記と同様の容易性を有することができる。
【００４９】
また、本実施の形態では、インナー１が装着されるボトムとして、パンツ５０を使用した場合について説明したが、これに限らず、インナー１は、所望により、例えば、キュロットスカート、スカート、ストッキング、タイツ、ガードル等、様々なボトムに着脱可能に装着することができる。
【図面の簡単な説明】
【００５０】
【図１】本発明の実施の形態にかかるインナーの平面図であって、使用者が着用した際に外側となる面の図である。
【図２】本発明の実施の形態にかかるインナーの平面図であって、使用者が着用した際に内側（使用者側）となる面の図である。
【図３】本発明の実施の形態にかかるインナーを使用者の体に合わせた立体的な形状とした状態を示す斜視図である。
【図４】本発明の実施の形態にかかるインナーと、このインナーが装着されるパンツとの関係を示す斜視図である。
【図５】本発明の実施の形態にかかるインナーをパンツに装着した状態を示す斜視図である。
【図６】本発明の他の実施の形態にかかるインナーの平面図であって、使用者が着用した際に内側（使用者側）となる面の図である。
【図７】本発明の他の実施の形態にかかるインナーを立体的な形状とした状態を示す斜視図である。
【図８】本発明の他の実施の形態にかかるインナーを使用者に着用させた状態を示す斜視図である。
【図９】本発明の他の実施の形態にかかるインナーの平面図であって、使用者が着用した際に内側（使用者側）となる面の図である。
【図１０】本発明の他の実施の形態にかかるパンツの斜視図である。
【図１１】本発明の他の実施の形態にかかるインナーをパンツに装着する際の一部を拡大して示す図である。
【符号の説明】
【００５１】
１    インナー
１０    インナー本体
１１    前身頃
１２    後身頃
１３    クロッチ部
１５、１７    端部
１６Ａ、１６Ｂ、１８Ａ〜１８Ｃ、５６Ａ、５６Ｂ、５８Ａ〜５８Ｃ    スナップボタン
３０    パッド材
５０    パンツ
７６Ａ、７６Ｂ、７８Ａ〜７８Ｃ    テープ材
８６Ａ、８６Ｂ、８８Ａ〜８８Ｃ    ループ状部材
１００    使用者
【図１】
2008150735.tif 000003
【図２】
2008150735.tif 000004
【図３】
2008150735.tif 000005
【図４】
2008150735.tif 000006
【図５】
2008150735.tif 000007
【図６】
2008150735.tif 000008
【図７】
2008150735.tif 000009
【図８】
2008150735.tif 000010
【図９】
2008150735.tif 000011
【図１０】
2008150735.tif 000012
【図１１】
2008150735.tif 000013